(57)【要約】【課題】デジタルクロマ復調システムにおいて、Ａ／Ｄ変換したコンポジット信号を直接的に出力しながら、システムクロック周波数を切り換えて信号方式の判別を実行する場合において、このコンポジット信号により表示される画像が、システムクロック周波数を切り換えに応じて変化して見苦しくなるのを防止する。【解決手段】カラーバースト信号に同期するシステムクロックの周波数ｍ（＝ｆｓｃ×ｎ）について、方式（カラーバースト信号周波数）に応じて係数ｎを変更することで、方式間でのシステムクロックの周波数ｍが一定範囲内に収まるようする。これにより、ほぼ一定のサンプリング周波数によってコンポジット信号をＡ／Ｄ変換することになるので、サンプリング周波数及びサンプリングポイントなどのサンプリング条件が大きく変わることはなくなる。【選択図】図１
2004289801.tif 000002
【特許請求の範囲】
【請求項１】
カラーバースト信号の周波数が異なる方式のコンポジット信号が入力可能とされ、入力されたアナログ信号としてのコンポジット信号を、システムクロックに応じたサンプリング周波数によりサンプリングすることで、デジタル信号としてのコンポジット信号に変換するアナログ／デジタル変換手段と、
上記デジタル信号としてのコンポジット信号から輝度信号とクロマ信号とを分離するＹＣ分離処理と、このＹＣ分離処理により得られたクロマ信号を復調するクロマ復調処理とを、上記システムクロックに基づく所定タイミングで実行する映像信号処理手段と、
上記コンポジット信号から抽出したカラーバースト信号に同期した上記システムクロックを生成するものとされ、上記システムクロックの周波数ｍについて、カラーバースト信号の周波数をｆｓｃ、係数をｎとして、
ｆｓｃ×ｎ＝ｍ
で表した場合に、上記異なる方式間で、この周波数ｍが所定の範囲内に収まるようにして、上記映像信号処理手段に入力されるコンポジット信号の方式に対応して上記係数ｎを変更設定するように構成されるシステムクロック生成手段と、
を備えていることを特徴とする映像信号処理回路。
【請求項２】
上記アナログ／デジタル変換手段におけるサンプリング周波数に応じたカットオフ周波数が設定され、
上記アナログ信号としてのコンポジット信号が入力され、上記カットオフ周波数以下の帯域を通過させて上記アナログ／デジタル変換手段に出力するローパスフィルタ手段、
を備えていることを特徴とする請求項１に記載の映像信号処理回路。
【請求項３】
上記アナログ／デジタル変換手段から出力されたデジタル信号としてのコンポジット信号が入力され、所定のカットオフ周波数以下の帯域を通過させて少なくとも上記映像信号処理手段に対して出力するローパスフィルタ手段、
を備えることを特徴とする請求項１に記載の映像信号処理回路。
【請求項４】
システムクロック周波数を切り換えたときの上記コンポジット信号から抽出したカラーバースト信号との同期状態に基づいて、入力されるコンポジット信号の方式を判別する判別回路と、
上記判別回路による判別の動作が実行されているときには、上記アナログ／デジタル変換手段によるデジタル信号への変換後のコンポジット信号を、上記映像信号処理手段にて得られる輝度信号の代わりに出力する、信号切り換え手段とを備えることを特徴とする請求項１に記載の映像信号処理回路。
【請求項５】
上記映像信号処理手段は、カラーバースト信号の周波数をｆｓｃ、係数をａ（但し、上記係数ａと上記係数ｎはａ＜ｎの関係が成立していることとする）として、ｆｓｃ×ａで表されるクロック周波数に基づく動作を実行するように構成されていると共に、
上記映像信号処理手段の前段に対して、入力されたデジタル信号としてのコンポジット信号について、上記係数ａと係数ｎとの関係により決定される間引き率によってサンプリング処理を実行する、間引きサンプル手段を設ける、
ことを特徴とする請求項１に記載の映像信号処理回路。
【請求項６】
上記システムクロック生成手段は、コンポーネント信号に対応する周波数ｍとは異なる周波数ｂのシステムクロックを生成可能とされているとともに、
コンポーネント信号を形成する所定数の信号ごとに対応して設けられ、入力されたアナログ信号としてのコンポジット信号を、上記周波数ｂのシステムクロックに応じたサンプリング周波数によりサンプリングすることで、デジタル信号としてのコンポジット信号に変換する、コンポーネント信号対応アナログ／デジタル変換手段と、
上記コンポーネント信号対応アナログ／デジタル変換手段の前段に対して設けられ、入力される信号について、上記コンポーネント信号対応アナログ／デジタル変換手段のサンプリング周波数に基づいて設定されたカットオフ周波数以下の帯域を通過させて出力する、コンポーネント信号対応ローパスフィルタ手段とをさらに備え、
上記システムクロック生成手段により生成される周波数ｍのシステムクロックは、上記周波数ｂに対して所定範囲内の周波数差となるように、上記係数ｎが設定されている、
ことを特徴とする請求項１に記載の映像信号処理回路。
【請求項７】
カラーバースト信号の周波数が異なる方式のコンポジット信号を入力可能であり、入力したアナログ信号としてのコンポジット信号を、システムクロックに応じたサンプリング周波数によりサンプリングすることで、デジタル信号としてのコンポジット信号に変換するアナログ／デジタル変換処理と、
上記デジタル信号としてのコンポジット信号から輝度信号とクロマ信号とを分離するＹＣ分離動作と、このＹＣ分離動作により得られたクロマ信号を復調するクロマ復調動作とを、上記システムクロックに基づく所定タイミングで実行する映像信号処理と、
上記コンポジット信号から抽出したカラーバースト信号に同期した上記システムクロックを生成するものとされ、上記システムクロックの周波数ｍについて、カラーバースト信号の周波数をｆｓｃ、係数をｎとして、
ｆｓｃ×ｎ＝ｍ
で表した場合に、上記異なる方式間で、この周波数ｍが所定の範囲内に収まるようにして、上記映像信号処理により処理されるコンポジット信号の方式に対応して上記係数ｎを変更設定するように構成されるシステムクロック生成処理と、
を実行することを特徴とする映像信号処理方法。
【発明の詳細な説明】
【技術分野】
【０００１】
本発明は、例えば映像信号（コンポジット信号）から、いわゆるＹＣ分離により輝度信号とクロマ信号とを分離し、また、この分離されたクロマ信号についての復調処理を実行するための回路構成を備える映像信号処理回路、及びその方法に関するものである。
【背景技術】
【０００２】
例えばテレビジョン受像機やモニタ装置などにおいては、入力されたコンポジット信号から輝度信号（Ｙ信号）とクロマ信号（Ｃ信号）を分離し、さらにクロマ信号から色差信号を復調するためのクロマ復調システムが備えられる。そして近年では、このようなクロマ復調システムをデジタル回路により構成することで、デジタル信号処理によってクロマ復調を行うことが提案され、また実施されるようになってきている。
このようなデジタルクロマ復調システムでは、例えば入力されたアナログのコンポジット信号をデジタル信号に変換したうえで、輝度信号とクロマ信号に分離するＹ／Ｃ分離を実行し、分離されたクロマ信号についてクロマ復調処理を実行することで、色差信号Ｃｂ，Ｃｒを生成する。この結果、デジタルクロマ復調システムからは、カラー画像表示に必要とされる輝度信号と、色差信号が出力されることになる。
そして、このようなデジタルクロマ復調システムを動作させるシステムクロックとしては、色差信号を抽出する必要上から、コンポジット信号に重畳されるカラーバースト信号に同期させることが行われる。この場合、デジタルクロマ復調システムのためのシステムクロックは、コンポジット信号から抽出したカラーバースト信号に同期するようにしてＰＬＬ回路をロックさせるように動作させることで生成している（特許文献１参照）。
【０００３】
また、上記したデジタルクロマ復調システムのためのシステムクロックの周波数については、カラーバースト信号の周波数ｆｓｃの４倍である４ｆｓｃとすることが多い。これは、デジタルクロマ復調システムにおいて輝度信号及び色差信号について充分に高いとされる品位が得られるようにサンプリングが行われるようにすることを考慮した場合、カラーバースト信号の周波数ｆｓｃを逓倍して得られる周波数として、４ｆｓｃが必要最低限の周波数であることに依る。
【０００４】
図７のブロック図は、上記したような構成に基づくデジタルクロマ復調システムとしての一例を簡略に示している。
ここで、クロマ復調システムとしては、特定の１つのテレビジョン方式によるコンポジット信号だけではなく、複数種類のテレビジョン方式のコンポジット信号の入力に対応してデコード可能に構成されたものが知られている。例えば、各種のＮＴＳＣ方式、ＰＡＬ方式や、さらにはＳＥＣＡＭなどの何れのコンポジット信号の入力にも対応してデコード処理を実行可能に構成されているものである。
そこで、この図７に示すデジタルクロマ復調システムとしても、このようなコンポジット信号のマルチ入力に対応した構成を採っていることとして説明を行うこととする。
【０００５】
この図に示すデジタルクロマ復調システム１００に対しては、システムクロックＣＬＫが入力されており、デジタルクロマ復調システム１００を形成しているＡ／Ｄコンバータ１０１、Ｙ／Ｃ分離回路１０３、クロマ復調回路１０４は、このシステムクロックＣＬＫに従ったタイミングで動作する。そして、このシステムクロックＣＬＫは、ここでは、クロマ復調回路１０４内に備えられるＰＬＬ回路から出力されている。このＰＬＬ回路は、入力されるコンポジット信号のカラーバースト信号に対応してロックするように動作することで、カラーバースト信号に同期したシステムクロックを生成して出力する。そして、この場合のシステムクロックＣＬＫの周波数は、上記もしているように４ｆｓｃとされている。
例えば、ＮＴＳＣ方式のコンポジット信号が入力される場合、カラーバースト信号の周波数ｆｓｃは３．５８ＭＨｚであるから、システムクロック周波数は、１４．３２ＭＨｚ（＝４×３．５８ＭＨｚ）となる。また、ＰＡＬ方式のコンポジット信号が入力される場合、カラーバースト信号の周波数ｆｓｃは４．４３ＭＨｚであるから、システムクロック周波数は、１７．７２ＭＨｚ（＝４×４．４３ＭＨｚ）となる。
【０００６】
デジタルクロマ復調システム１００に対して入力されるコンポジット信号は、先ず、Ａ／Ｄコンバータ１０１に対して入力される。Ａ／Ｄコンバータ１０１では、入力されたコンポジット信号について、４ｓｆｃのシステムクロックＣＬＫに基づく動作タイミングによりＡ／Ｄ変換を行って、デジタルとしてのコンポジット信号を、スイッチ回路１０２の端子Ｔ１及びＹ／Ｃ分離回路１０３に対して出力する。
【０００７】
Ｙ／Ｃ分離回路１０３では、入力されたコンポジット信号について、例えばデジタル回路として形成される櫛形フィルタとしての動作を実行することで、輝度信号（Ｙ信号）とクロマ信号（Ｃ信号）とに分離する。輝度信号は、スイッチ回路１０２の端子Ｔ２に出力され、クロマ信号はクロマ復調回路１０４に対して出力される。
クロマ復調回路１０４では、入力されたクロマ信号について、デジタル信号処理によってデコード処理を実行することで、色差信号Ｃｒ、Ｃｂを出力する。
【０００８】
スイッチ回路１０２は、端子Ｔ１又は端子Ｔ２に対して端子Ｔ３が択一的に接続されるようにして切り換えが行われるもので、通常時においては、端子Ｔ２に対して端子Ｔ３が接続されるようになっている。
これにより、デジタルクロマ復調システム１００からは、入力されたコンポジット信号から、輝度信号、及び色差信号Ｃｒ、Ｃｂを抽出して出力することになる。
【０００９】
ここで、スイッチ回路１０２は、図７に示すデジタルクロマ復調システム１００がコンポジット信号のマルチ入力に対応する構成であることに応じて備えられるものである。
コンポジット信号のマルチ入力に対応する場合、入力されるコンポジット信号のテレビジョン方式が、例えばＮＴＳＣ方式からＰＡＬ方式に変化するようにして切り換わる場合があることになる。
このようにして、入力されるコンポジット信号のテレビジョン方式が切り換わってカラーバースト信号の周波数が変化した場合や、また、入力されるコンポジット信号にバースト信号が挿入されていないような場合に、デジタルクロマ復調システム１００では、テレビジョン方式の判別動作に入る。
このようにテレビジョン方式の判別を実行している期間は、未だ入力されるコンポジット信号に適合したシステムクロックＣＬＫを生成することができない状態であるから、適正にＹ／Ｃ分離及びクロマ復調処理を実行することができないので、輝度信号及び色差信号Ｃｒ、Ｃｂを出力することはできない。
そこで、テレビジョン方式の判別動作を実行する期間においては、スイッチ回路１０２について、端子Ｔ１と端子Ｔ３とが接続されるようにする。これにより、後段の映像信号処理系には、輝度信号に代えてＡ／Ｄ変換後のコンポジット信号（ＣＶＢＳ信号）がそのまま出力されることとなるので、例えば白黒の画面ではあるが、映像信号に基づく画像表示出力を保つことが可能となる。
【００１０】
ここで、上記したテレビジョン方式の判別動作は、簡単には次のようになる。
例えば、デジタルクロマ復調システム１００に対して、これまでとは異なるテレビジョン方式のコンポジット信号、或いは、カラーバースト信号が挿入されていないコンポジット信号の入力が開始されたとする。
このような状態となると、デジタルクロマ復調システム１００側では、入力されるコンポジット信号がどのテレビジョン方式であるのかを判別するために、システムクロックの周波数を、垂直走査期間の数回分ごとに、予め入力されることが想定されているテレビジョン方式に対応する周波数（４ｆｓｃ）に切り換えるようにされる。
【００１１】
例えば、先ず、システムクロックＣＬＫの周波数について、ＮＴＳＣ方式に対応する４ｆｓｃの周波数である１４．３２ＭＨｚを設定してデジタルクロマ復調システム１００を動作させる。この動作により、前述したようにして、クロマ復調回路１０４に備えられているとされるＰＬＬ回路が、カラーバースト信号にロックできるか否かについて検出する。ここで、入力されるコンポジット信号がＮＴＳＣ方式であれば、ＰＬＬ回路は、カラーバースト信号にロックするように収束する動作が得られ、現在入力されているコンポジット信号がＮＴＳＣ方式であることが判別される。そして、以降においては、この１４．３２ＭＨｚのシステムクロックＣＬＫによりデジタルクロマ復調システム１００を動作させることになる。
これに対して、数回分の垂直走査期間が経過してもＰＬＬ回路がカラーバースト信号にロックする状態が得られない場合には、次に、例えばＰＡＬ方式に対応する４ｆｓｃ＝１７．７２ＭＨｚにシステムクロックの周波数を切り換えて、上記と同じく、数回分の垂直走査期間内のうちにＰＬＬ回路がカラーバースト信号にロックすることができるか否かについて検出する。
【００１２】
【特許文献１】特開２０００−２５３４１７号公報
【発明の開示】
【発明が解決しようとする課題】
【００１３】
ここで、上記図７を参照した説明によると、テレビジョン方式の判別動作が終了するまでの期間は、デジタルクロマ復調システム１００からは、Ａ／Ｄコンバータ１０１によりデジタル信号に変換されたコンポジット信号が、直接的にスイッチ回路１０２を介して出力され、このコンポジット信号による画像表示が行われている状態にある。
そして、この際において、上述のようにして、テレビジョン方式に応じたシステムクロック周波数の切り換えが行われることになるのであるが、４ｆｓｃであるシステムクロック周波数は、例えばＮＴＳＣ方式では１４．３２ＭＨｚであり、ＰＡＬ方式では１７．７２ＭＨｚとなる。つまり、実際のテレビジョン方式の判別動作を実行しているときには、少なくともＮＴＳＣ方式とＰＡＬ方式の間だけでも、数回分の垂直走査期間ごとにシステムクロック周波数が２０％以上も変化することになる。
【００１４】
そして、このようにしてシステムクロック周波数が大幅に変化するのに応じては、例えばＡ／Ｄコンバータ１０１におけるサンプリングポイント及びサンプリング周波数などが変化することになるが、これによっては、Ａ／Ｄ変換されたコンポジット信号を表示出力して見える画像にも変化が生じることになる。
具体的には、見た目の周波数特性が伸びたり、落ちたりするようにして変化する。また、高域信号の部分の折り返しによるモアレ部分の見え方も変化したりする。そして、このような画像の変化が、数回分の垂直走査期間ごとに対応する期間で頻繁に変化することになるため、表示される画像としては、非常に見苦しいものとなっている。
【００１５】
このような現象は、特に、例えばカラーバースト信号が挿入されていない、白黒のコンポジット信号が入力されている場合において、特に問題となる。
つまり、上述したようなテレビジョン方式の判別動作は、カラーバースト信号に対するロック状態の可否を判定することにより行われるから、白黒のコンポジット信号のように、カラーバースト信号が挿入されていない場合には、システムクロック周波数の切り換えが継続して繰り返される。従って、この場合には、頻繁に変化する見苦しい画像が表示され続けることになる。
このようにして、コンポジット信号のマルチ入力に対応する構成のデジタルクロマ復調システムとしては、例えばテレビジョン方式の判別動作に伴うシステムクロック周波数の切り換えが必須となることに起因して、システムクロック周波数を切り換えるときにおける表示画像の乱れが生じる。
【課題を解決するための手段】
【００１６】
そこで本発明は上記した課題を考慮して、映像信号処理回路として次のように構成する。
つまり、カラーバースト信号の周波数が異なる方式のコンポジット信号が入力可能とされ、入力されたアナログ信号としてのコンポジット信号を、システムクロックに応じたサンプリング周波数によりサンプリングすることで、デジタル信号としてのコンポジット信号に変換するアナログ／デジタル変換手段と、デジタル信号としてのコンポジット信号から輝度信号とクロマ信号とを分離するＹＣ分離処理と、このＹＣ分離処理により得られたクロマ信号を復調するクロマ復調処理とをシステムクロックに基づく所定タイミングで実行する映像信号処理手段と、コンポジット信号から抽出したカラーバースト信号に同期したシステムクロックを生成するものとされ、システムクロックの周波数ｍについて、カラーバースト信号の周波数をｆｓｃ、係数をｎとして、
ｆｓｃ×ｎ＝ｍ
で表した場合に、上記異なる方式間で、この周波数ｍが所定の範囲内に収まるようにして、上記映像信号処理手段に入力されるコンポジット信号の方式に対応して上記係数ｎを変更設定するように構成されるシステムクロック生成手段とを備えることとした。
【００１７】
また、映像信号処理方法として次のように構成することとした。
つまり、カラーバースト信号の周波数が異なる方式のコンポジット信号を入力可能であり、入力したアナログ信号としてのコンポジット信号を、システムクロックに応じたサンプリング周波数によりサンプリングすることで、デジタル信号としてのコンポジット信号に変換するアナログ／デジタル変換処理と、デジタル信号としてのコンポジット信号から輝度信号とクロマ信号とを分離するＹＣ分離動作と、このＹＣ分離動作により得られたクロマ信号を復調するクロマ復調動作とをシステムクロックに基づく所定タイミングで実行する映像信号処理と、コンポジット信号から抽出したカラーバースト信号に同期したシステムクロックを生成するものとされ、システムクロックの周波数ｍについて、カラーバースト信号の周波数をｆｓｃ、係数をｎとして、
ｆｓｃ×ｎ＝ｍ
で表した場合に、上記異なる方式間で、この周波数ｍが所定の範囲内に収まるようにして、映像信号処理により処理されるコンポジット信号の方式に対応して係数ｎを変更設定するように構成されるシステムクロック生成処理とを実行するように構成する。
【００１８】
上記構成では、先ず、カラーバースト信号の周波数の相違に応じて方式が異なるとされるコンポジット信号のマルチ入力に対応して、クロマ復調のためのデジタル信号処理を実行可能とされている。
そして、この構成の下で、クロマ復調処理のためのカラーバースト信号に同期するシステムクロックの周波数については次のようにして設定している。つまり、システムクロック周波数ｍについて、ｍ＝ｆｓｃ×ｎ（ｆｓｃはカラーバースト信号周波数、ｎは係数）で表すこととした場合、方式（カラーバースト信号周波数ｆｓｃ）に応じて係数ｎを変更設定することで、方式間でのシステムクロックの周波数ｍが一定範囲内に収まるようにする。換言すれば、コンポジット信号の方式にかかわらず、システムクロックの周波数ｍとしてはほぼ同じとなるようにする。
これにより、デジタル信号処理によるクロマ復調処理の対象として入力されるコンポジット信号は、どの方式（つまり、どのようなカラーバースト信号周波数）であっても、ほぼ一定のサンプリング周波数によってＡ／Ｄ変換されることになる。また、これによって、異なる方式のコンポーネント信号間で、サンプリング周波数及びサンプリングポイントなどのサンプリング条件が大きく変わることはなくなる。
【発明の効果】
【００１９】
そして、このことから本発明としては、例えば、Ａ／Ｄ変換したコンポジット信号を直接的に出力しながら、システムクロック周波数を切り換えて方式判別を実行するように構成した場合、このコンポジット信号に基づいて表示出力される画像としても、サンプリング条件の変化に応じた画像の乱れを抑制することが可能になる。
また、コンポジット信号がどの方式であっても、ほぼ一定のサンプリング周波数によってＡ／Ｄ変換されることによっては、周辺の回路について共通化を図るなどして回路の単純化を図ったりすることが可能となる。
【発明を実施するための最良の形態】
【００２０】
以下、本発明の実施の形態としての映像信号処理回路であるクロマ復調システムについて説明する。
本実施の形態のクロマ復調システムは、例えばテレビジョン受像機やモニタ装置に備えられるもので、コンポジット信号の復調処理として、Ｙ／Ｃ分離処理及びクロマ復調処理をデジタル信号処理により実行することで、デジタル信号としての輝度信号及び色差信号を出力するように構成される。
また、本実施の形態のクロマ復調システムは、コンポジット信号のマルチ入力に対応する。つまり、異なるテレビジョン方式のコンポジット信号の入力に対応して、コンポジット信号の復調処理（Ｙ／Ｃ分離処理及びクロマ復調処理）を実行可能に構成される。
なお、以降の説明は次の順序で行う。
１．システムクロック周波数
２．デジタルクロマ復調システムの構成
３．コンポーネント信号のマルチ入力に対応する構成
【００２１】
１．システムクロック周波数
ここで、先に従来において述べたコンポジット信号のマルチ入力に対応する構成のデジタルクロマ復調システムにおいて、テレビジョン方式の判別動作などに伴うシステムクロック周波数の切り換えに依る画像の乱れは、次のことが要因であるといえる。
つまり、テレビジョン方式間でのシステムクロックの周波数差に応じた、Ａ／Ｄ変換時におけるサンプリングポイントやサンプリング周波数のずれが、画像の乱れとして視覚的に確認できる程度にまで拡大していることにある。
従って、画像の乱れについて視覚的に確認することができなくなる程度にまで、Ａ／Ｄ変換時におけるサンプリングポイントやサンプリング周波数のずれが小さくなるように、各テレビジョン方式に対応したシステムクロック周波数を設定すればよいということになる。
つまり、これは即ち、Ａ／Ｄ変換時におけるサンプリングポイントやサンプリング周波数のずれ量が所要範囲内となるように、テレビジョン方式ごとのシステムクロック周波数について、その周波数差も所要範囲内となるように設定すればよいことを意味している。
【００２２】
上記したテレビジョン方式ごとのシステムクロック周波数の設定について、図６を参照して考察してみる。
ここで、本実施の形態のデジタルクロマ復調システムが対応すべきコンポジット信号のテレビジョン方式としては、例えば図６に示すようにして、ＮＴＳＣ、ＮＴＳＣ−４４３、ＰＡＬ、ＰＡＬ−Ｍ、ＰＡＬ−Ｎ、ＰＡＬ−６０、ＳＥＣＡＭの７種類であるとする。
そして、これらのテレビジョン方式ごとに対応するカラーバースト信号の周波数ｆｓｃとしては、３．５８ＭＨｚ又は４．４３ＭＨｚのいずれかのグループに属することが分かる。そして、デジタルクロマ復調システムとしては、このカラーバースト信号の周波数ｆｓｃにロックしたＰＬＬ回路からの出力を、カラーバースト信号に同期したシステムクロックとして利用することから、システムクロックとしては、周波数ｆｓｃの倍数であることが必要となる。
【００２３】
そこで、システムクロック周波数として、カラーバースト信号周波数ｆｓｃ＝３．５８ＭＨｚと、ｆｓｃ＝４．４３ＭＨｚとについてそれぞれ所定倍を行って比較を行ったところ、両者の周波数が上記した所要範囲内に収まる場合としては、図６に示す結果が得られた。
つまり、システムクロック周波数として、カラーバースト信号周波数ｆｓｃ＝３．５８ＭＨｚについては、ｆｓｃを２０倍することで７１．６ＭＨｚ（＝２０ｆｓｃ）とし、カラーバースト信号周波数ｆｓｃ＝４．４３ＭＨｚについては、ｆｓｃを１６倍することで７０．８８ＭＨｚ（＝１６ｆｓｃ）とした。この場合において、両者の周波数差は０．７２ＭＨｚであり、相互の変化率は１％程度となっている。
そして、この場合の両者のシステムクロック周波数としては、例えばＡ／Ｄ変換後のコンポジット信号を画像として出力した場合の、その画像の乱れの度合いと照らし合わせた場合において、約７１ＭＨｚでほぼ一定であるとみなして良いものとなる。
比較として、従来におけるシステムクロック周波数（＝４ｆｓｃ）は、図６にも示すようにして、ｆｓｃ＝３．５８ＭＨｚについては１４．３２ＭＨｚ、ｆｓｃ＝４．４３ＭＨｚについては１７．７２ＭＨｚであり、その差は３．４ＭＨｚで、約２０％の変化率となっている。つまり、本実施の形態の場合よりも大幅な周波数差を有しているものであり、換言すれば、本実施の形態のシステムクロックの周波数差は、非常に僅かであるといえる。
【００２４】
また、上記のようにして設定した本実施の形態のシステムクロック周波数は、７１．６ＭＨｚ＝２０ｆｓｃ、及び７０．８８ＭＨｚ＝１６ｆｓｃとされているのであるが、
２０ｆｓｃ＝５×４ｆｓｃ
１６ｆｓｃ＝４×４ｆｓｃ
として表されるように、何れも４ｆｓｃを整数倍して得られる。これにより、後述する本実施の形態のデジタルクロマ復調システム１におけるクロマ復調等の処理については、既にある４ｆｓｃのクロックで動作する回路を採用することができるようにもされている。
【００２５】
２．デジタルクロマ復調システムの構成
続いては、上記のようにして設定された約７１ＭＨｚ（７１．６ＭＨｚ又は７０．８８ＭＨｚ）のシステムクロックにより動作するように構成される、本実施の形態のデジタルクロマ復調システムについて、先ず、図１を参照して説明する。
この図に示すデジタルクロマ復調システム１としては、例えば、図６に示した各種のテレビジョン方式のコンポジット信号の入力に対応した構成を採っているものとされる。
【００２６】
デジタルクロマ復調システム１に対しては、アナログ信号としてのコンポジット信号が入力されるのであるが、このコンポジット信号は、デジタルクロマ復調システム１の前段に備えられるアナログＬＰＦ(Low Pass Filter)２に入力される。
ここで、デジタルクロマ復調システム１は、約７１ＭＨｚ（７１．６ＭＨｚ又は７０．８８ＭＨｚ）のシステムクロックＣＬＫにより動作し、後述するＡ／Ｄコンバータ１１のサンプリング周波数としても約７１ＭＨｚとなる。このため、入力すべきアナログのコンポジット信号の周波数帯域を、７１ＭＨｚのほぼ１／２である約３５ＭＨｚのナイキスト周波数の範囲内とする必要がある。アナログＬＰＦ２は、アナログのコンポジット信号について、約３５ＭＨｚ以下の周波数帯域となるように高域成分を除去することを目的として設けられる。このため、アナログＬＰＦ２のカットオフ周波数としても３５ＭＨｚ付近の適切な値が設定されることになる。
【００２７】
アナログＬＰＦ２を通過したアナログのコンポジット信号は、デジタルクロマ復調システム１のＡ／Ｄコンバータ１１に入力されて、上記もしているように約７１ＭＨｚ（７１．６ＭＨｚ又は７０．８８ＭＨｚ）のサンプリング周波数によりデジタル信号化され、後段のデジタルＬＰＦ１２に対して出力される。
【００２８】
デジタルＬＰＦ１２は、コンポジット信号に含まれる輝度信号に対応したカットオフ周波数として、約７ＭＨｚが設定され、コンポジット信号から、輝度信号としての帯域よりも高域とされる帯域成分を除去して通過させる。これにより、後述するＹ／Ｃ分離回路１５によるＹ／Ｃ分離処理が適正に実行される。
デジタルＬＰＦ１２を通過したコンポジット信号は、スイッチ回路１３の端子Ｔ１と、間引き回路１４に対して分岐して入力される。
【００２９】
ここで、後述するＹ／Ｃ分離回路１５によるＹ／Ｃ分離処理、及びクロマ復調回路１６によるクロマ復調処理は、カラーバースト信号周波数ｆｓｃ＝３．５８ＭＨｚに対応する７１．６ＭＨｚ（＝２０ｆｓｃ）、又はカラーバースト信号周波数ｆｓｃ＝４．４３ＭＨｚに対応する７０．８８ＭＨｚ（＝１６ｆｓｃ）のシステムクロックＣＬＫによるのではなく、４ｆｓｃのクロックで動作するように構成されている。
つまり、図７により説明したように、従来においては、４ｆｓｃのシステムクロックに基づいてＹ／Ｃ分離処理及びクロマ復調処理を実行していたのであるが、本実施の形態としても、このＹ／Ｃ分離回路１５及びクロマ復調回路１６については、既存ののＹ／Ｃ分離処理及びクロマ復調処理の技術を使用するために、４ｆｓｃのシステムクロックにより動作するものを使用するようにしている。これにより、主要なハードウェアについては、新しいシステムクロック周波数に対応したものを構成する必要がないことから、それだけコストアップを避けることができる。
【００３０】
ただし、コンポジット信号は、システムクロックＣＬＫである約７１ＭＨｚ（７１．６ＭＨｚ又は７０．８８ＭＨｚ）のサンプリング周波数によりサンプリングされているから、４ｆｓｃのクロックに応じたＹ／Ｃ分離処理及びクロマ復調処理に適合するようにして、Ｙ／Ｃ分離処理の前段階において、サンプリング周波数についての整合をとる必要がある。
間引き回路１４は、Ａ／Ｄ変換後のコンポジット信号としてのサンプリングデータについて、所定間隔の間引きによるサンプリングを行うことで、上記したサンプリング周波数についての整合をとるために備えられる。
ここで、システムクロックＣＬＫは、カラーバースト信号周波数ｆｓｃ＝３．５８ＭＨｚに対応する７１．６ＭＨｚが２０ｆｓｃであるのに対して、カラーバースト信号周波数ｆｓｃ＝４．４３ＭＨｚに対応する７０．８８ＭＨｚは１６ｆｓｃであり、互いにカラーバースト信号周波数ｆｓｃに対する倍数が異なる。このため、間引き回路１４は、入力されるコンポジット信号のカラーバースト信号周波数について、ｆｓｃ＝３．５８ＭＨｚの場合と、ｆｓｃ＝４．４３ＭＨｚの場合とでその動作を切り換える。
【００３１】
まず、入力されるコンポジット信号のカラーバースト信号周波数ｆｓｃについて、ｆｓｃ＝３．５８ＭＨｚとされる場合の間引き回路１４の動作について、図２を参照して説明する。
この場合、システムクロックＣＬＫの周波数は、ｆｓｃ＝３．５８ＭＨｚを２０倍した７１．６ＭＨｚ（＝２０ｆｓｃ）であり、このシステムクロックＣＬＫに従ったサンプリング周波数によってＡ／Ｄコンバータ１１によりデジタル信号化されるコンポジット信号のＡ／Ｄサンプルデータ（CV0〜CV15・・・）は、図示するようにして、システムクロックＣＬＫの１周期ごとに１サンプルが対応したものとなる。
ここで、間引き回路１４に対しては、サンプルタイミングを発生するイネーブル信号ＥＮとして、４ｆｓｃのクロックが入力される。この場合の４ｆｓｃのクロックは、４×３．５８ＭＨｚ＝１４．３２ＭＨｚとなる。
そして、この４ｆｓｃのクロックは、システムクロックＣＬＫについて、例えばここでは図示していない分周器により１／５分周して得ることができる。あるいは、後述するＶＣＯ２３から出力される発振信号が４ｆｓｃであるから、この信号をクロックとして用いても良い。
【００３２】
ここで、２０ｆｓｃ（＝７１．６ＭＨｚ）のシステムクロックＣＬＫと、４ｆｓｃ（＝１４．３２ＭＨｚ）のイネーブル信号ＥＮとを比較した場合には、
２０ｆｓｃ／４ｆｓｃ＝５
として表されるように、イネーブル信号ＥＮは、システムクロックＣＬＫの１／５の周期となっている。間引き回路１４においては、このイネーブル信号ＥＮの立ち上がりタイミングでサンプリングを実行することになるが、これは、Ａ／Ｄサンプルデータ（CV0〜CV15・・・）について１／５間引き処理を実行することを意味する。
【００３３】
つまり、例えば時点ｔ１におけるイネーブル信号ＥＮの立ち上がりタイミングにより、Ａ／ＤサンプルデータCV0がサンプルされたとすると、次のイネーブル信号ＥＮの立ち上がりタイミングとなる時点ｔ２では、Ａ／ＤサンプルデータCV0から５つ目のＡ／ＤサンプルデータCV5をサンプルすることになる。
以降、同様にして、次のイネーブル信号ＥＮの立ち上がりタイミングである時点ｔ３において、Ａ／ＤサンプルデータCV5からさらに５つ目のＡ／ＤサンプルデータCV10をサンプルし、次のイネーブル信号ＥＮの立ち上がりタイミングである時点ｔ４において、Ａ／ＤサンプルデータCV10から５つ目のＡ／ＤサンプルデータCV15をサンプルしていくようにされる。
このようなサンプル動作によっては、図２において示すように、間引き処理後のサンプルデータ列としては、サンプルデータCV0，CV5，CV10，CV15・・・というように、元のＡ／Ｄサンプルデータ列から、５つおきにサンプルデータを間引くようにして得られるものとなる。つまり、元のＡ／Ｄサンプルデータ列に対して１／５間引き処理を行っている。そして、このようにして得られる間引き処理後のサンプルデータは、４ｆｓｃのサンプリング周波数によりサンプリングされたものと等化であることになる。
【００３４】
続いては、入力されるコンポジット信号のカラーバースト信号周波数ｆｓｃが、ｆｓｃ＝４．４３ＭＨｚとされる場合の間引き回路１４の動作について、図３を参照して説明する。
この場合には、システムクロックＣＬＫの周波数である７１．６ＭＨｚ（＝２０ｆｓｃ）は、ｆｓｃ＝４．４３ＭＨｚを１６倍して得られるものとなる。そして、この場合にも、Ａ／Ｄコンバータ１１によりデジタル信号化されるコンポジット信号のＡ／Ｄサンプルデータ（CV0〜CV15・・・）は、システムクロックＣＬＫに従ったサンプリング周波数によってサンプリングされるのであるから、図示するようにして、システムクロックＣＬＫの１周期ごとに１サンプルが対応したものとなる。
【００３５】
前述もしたように、間引き回路１４に対して入力されるイネーブル信号ＥＮは、４ｆｓｃのクロックである。そして、この場合には、４ｆｓｃ＝４×４．４３ＭＨｚ＝１７．７２ＭＨｚとなる。
【００３６】
そして、この場合において、１６ｆｓｃ（＝７１．６ＭＨｚ）のシステムクロックＣＬＫと、４ｆｓｃ（＝１４．３２ＭＨｚ）のイネーブル信号ＥＮとを比較した場合には、
４ｆｓｃ／１６ｆｓｃ＝１／４
として表されるように、イネーブル信号ＥＮは、システムクロックＣＬＫの１／４の周期となる。
従って、このイネーブル信号ＥＮの立ち上がりタイミングで間引き回路１４がサンプリングを実行することによっては、Ａ／Ｄサンプルデータ（CV0〜CV15・・・）について１／４間引き処理を実行することになる。
【００３７】
つまり、例えば時点ｔ１におけるイネーブル信号ＥＮの立ち上がりタイミングにより、Ａ／ＤサンプルデータCV0がサンプルされたとすると、次のイネーブル信号ＥＮの立ち上がりタイミングとなる時点ｔ２では、Ａ／ＤサンプルデータCV0から４つ目のＡ／ＤサンプルデータCV4をサンプルする。そして以降は、同様にして、次のイネーブル信号ＥＮの立ち上がりタイミングである時点ｔ３において、Ａ／ＤサンプルデータCV4からさらに４つ目のＡ／ＤサンプルデータCV8をサンプルし、次のイネーブル信号ＥＮの立ち上がりタイミングである時点ｔ４において、Ａ／ＤサンプルデータCV8から４つ目のＡ／ＤサンプルデータCV12をサンプルしていくようにされる。
【００３８】
このようにして、間引き処理後のサンプルデータ列としては、サンプルデータCV0，CV4，CV8，CV12・・・というように、元のＡ／Ｄサンプルデータ列から、４つおきにサンプルデータを間引くようにして得られるものとなる。そして、この場合においても、間引き処理後のサンプルデータは、４ｆｓｃのサンプリング周波数によりサンプルされたものと等化となるものである。
【００３９】
説明を図１に戻す。
上記のようにして間引き回路１４において得られた、４ｆｓｃのサンプリング周波数によりサンプリングされたコンポジット信号（サンプリングデータ）は、Ｙ／Ｃ分離回路１５に対して入力される。
【００４０】
Ｙ／Ｃ分離回路１５では、前述もしたように、４ｆｓｃのクロックに従ったタイミングで、入力されたコンポジット信号についてＹ／Ｃ分離処理を実行し、輝度信号（Ｙ信号）とクロマ信号（Ｃ信号）とを出力する。
輝度信号は、スイッチ回路１３の端子Ｔ１に対して出力される。クロマ信号はクロマ復調ブロック３０内のクロマ復調回路１６に対して出力される。また、このクロマ信号をバーストＲＡＭ２１に対して出力するようにもしている。
【００４１】
クロマ復調ブロック３０は、図示するようにして、クロマ復調回路１６、及びＰＬＬブロック３１とを備えて成る。
クロマ復調回路１６では、４ｆｓｃのクロックに従ったタイミングで、入力されたクロマ信号について復調処理を施すことで、ここでは、色差信号Ｃｂ，Ｃｒを生成して出力する。
また、ＰＬＬブロック３１は、バーストＲＡＭ２１、ＬＰＦ２２，ＶＣＯ２３、及びＰＬＬ回路２４によって形成され、ＰＬＬ回路系の動作として、クロマ信号に含まれるカラーバースト信号にロックするようにされる、いわゆるＡＰＣ(Auto Phase Control)を構成する。
【００４２】
ここで、本実施の形態におけるシステムクロックＣＬＫの周波数は、前述もしているように、カラーバースト信号周波数ｆｓｃ＝３．５８ＭＨｚに対応しては２０ｆｓｃ＝７１．６ＭＨｚとし、ｆｓｃ＝４．４４ＭＨｚに対応しては１６ｆｓｃ＝７１．６ＭＨｚとしているのであるが、両者は、何れも４ｆｓｃに対して整数倍（×５又は×４）することによって得られる。
従って、上記のようにして、４ｆｓｃのクロックにより動作するＹ／Ｃ分離回路１５、クロマ復調回路１６等について、本実施の形態としてのシステムクロックＣＬＫに基づいて動作させることは容易に可能となる。
つまり、実際においては、例えばシステムクロックＣＬＫが２０ｆｓｃ＝７１．６ＭＨｚであるときには、分周器などにより１／５分周することで４ｆｓｃのクロックを得ることができる。また、システムクロックＣＬＫが１６ｆｓｃ＝７１．６ＭＨｚであるときには、１／４分周して４ｆｓｃのクロックを得るようにすればよい。このように、システムクロックＣＬＫが４ｆｓｃの整数倍とされていることで、４ｆｓｃに基づく信号処理構成を特に問題なく採用することができる。
【００４３】
バーストＲＡＭ２１には、入力された４ｆｓｃのサンプル周波数によりサンプルされたサンプルデータとしてのカラーバースト信号が保持される。このようにして保持されたサンプルデータは、カラーバースト信号の位相情報を有していることになる。
そして、このカラーバースト信号としてのサンプルデータについて所定のカットオフ周波数によるＬＰＦ２２を通過させることで安定した位相検出が行えるように帯域制限をして、ＶＣＯ２３に入力させる。これにより、ＶＣＯ２３は、カラーバースト信号の周波数に同期した周波数の発振信号を出力するように動作する。なお、ここでは、ＶＣＯ２３から出力される発振周波数について４ｆｓｃとしているが、カラーバースト信号の周波数に同期しているのであれば、必ずしも４ｆｓｃである必要はない。
ただし、これまでの説明からも理解されるように、４ｆｓｃのクロックは、間引き回路１４のイネーブル信号ＥＮ、さらにはＹ／Ｃ分離処理、クロマ復調処理に利用されるので、この点で、ＶＣＯ２３の発振周波数を４ｆｓｃとすれば、発振信号をクロックとしてそのまま利用することも可能になって好ましい。
【００４４】
ＶＣＯ２３から出力される４ｆｓｃの発振信号は、ＰＬＬ回路２４に入力される。ＰＬＬ回路２４は、ＶＣＯ２３から入力された４ｆｓｃの発振信号にロックするように動作することで、カラーバースト信号に同期したシステムクロックＣＬＫを生成して出力する。
ここで、ＰＬＬ回路２４に入力される発振信号の周波数は、間引き回路１４において１／５間引き若しくは１／４間引き処理されたコンポジット信号のカラーバースト信号成分を元として生成されている。
そこで、入力されるコンポジット信号のカラーバースト信号周波数がｆｓｃ＝３．５８ＭＨｚであるとされて、間引き回路１４において、１／５間引き処理を実行している場合に対応しては、ＶＣＯ２３から入力される４ｆｓｃの発振信号について５倍するようにして、２０ｆｓｃ＝７１．６ＭＨｚのシステムクロックＣＬＫを生成するようにされる。
また、入力されるコンポジット信号のカラーバースト信号周波数がｆｓｃ＝４．４３ＭＨｚであるとされて、間引き回路１４において、１／４間引き処理を実行している場合に対応しては、ＶＣＯ２３から入力される４ｆｓｃの発振信号について４倍し、１６ｆｓｃ＝７０．８８ＭＨｚのシステムクロックＣＬＫを生成するようにされる。
このようにして本実施の形態のデジタルクロマ復調システム１では、間引き回路１４における間引き動作と、ＰＬＬ回路２４における４ｆｓｃの発振信号の倍数は、連動して切り換わるようにされている。
【００４５】
そして、上記構成によりコンポジット信号のマルチ入力に対応可能とされるデジタルクロマ復調システム１では、入力されるコンポジット信号のテレビジョン方式が例えばＮＴＳＣ方式とＰＡＬ方式間で切り換わるなどのようにして、カラーバースト信号周波数ｆｓｃが異なるコンポジット信号の入力に切り換わったような場合に、テレビジョン方式の判別動作（カラー判別）が実行される。
また、例えば通常にカラーバースト信号が挿入されているコンポジット信号（カラー映像信号）から、カラーバースト信号が挿入されていない白黒映像信号の入力に切り換わったような場合にも、テレビジョン方式を判別する動作が実行される。つまり、入力されるコンポジット信号におけるカラーバースト信号の有無、周波数などの条件が変化した場合には、システムクロックＣＬＫとカラーバースト信号との同期が得られなくなるのであるが、このような場合に、入力されるコンポジット信号のテレビジョン方式が変更されたとして、テレビジョン方式の判別動作に移行するようにされているものである。
【００４６】
テレビジョン方式の判別動作は、例えば次のようにして実行される。
図１に示すＤＳＰ(Digital Signal Processor)３は、例えばＰＬＬ回路２４がロック状態であるか否かを認識可能とされている。そして、入力されるコンポジット信号の切り換えに応じてＰＬＬ回路２４がロックしていない状態になったことを認識すると、テレビジョン方式の判別動作を開始することになる。
そして、テレビジョン方式の判別動作として、ＤＳＰ３は、数回の垂直走査期間にあたる１スキャン期間ごとに、ＶＣＯ２３から出力される４ｆｓｃとしての発振信号周波数を切り換えていくように制御する。ここで、１スキャン期間ごとに切り換えられるべきＶＣＯ２３の発振信号の周波数は、デジタルクロマ復調システム１が対応すべきテレビジョン方式のカラーバースト信号に対応する４ｆｓｃということになる。
ＰＬＬ回路２４は、このＶＣＯ２３からの４ｆｓｃの発振信号を入力して、バーストＲＡＭ２１に入力されるカラーバースト信号のサンプルデータに同期してロックするように動作する。
【００４７】
なお、本実施の形態において、実際としては、図６にも示したように、テレビジョン方式としては７つの方式に対応するものとされているが、これら７つのテレビジョン方式におけるコンポジット信号に挿入されるカラーバースト信号としては、ｆｓｃ＝３．５８ＭＨｚと４．４３ＭＨｚの２種類のみであるから、４ｆｓｃの発振信号としても、１４．３２ＭＨｚ（＝４×３．５８ＭＨｚ）、１７．７２ＭＨｚ（４×４．４３ＭＨｚ）の２種類となる。従って、ＤＳＰ３の実際としては、１スキャン期間ごとに、４ｆｓｃ＝１４．３２ＭＨｚと、４ｆｓｃ＝１７．７２ＭＨｚの発振信号が出力されるように、ＶＣＯ２３に対する制御を実行することになる。
【００４８】
ここで、例えばＤＳＰ３の制御によって、先ず、１スキャン期間内において、ＶＣＯ２３から４ｆｓｃ＝１４．３２ＭＨｚの発振信号を出力させているとする。このときに、入力されているコンポジット信号のカラーバースト信号の周波数がｆｓｃ＝３．５８ＭＨｚであれば、ＰＬＬ回路２４は、７１．６ＭＨｚのシステムクロックＣＬＫを出力する状態でロックし、ｆｓｃ＝３．５８ＭＨｚ以外（例えばｆｓｃ＝４．４３ＭＨｚ）であればロックはしないことになる。
【００４９】
そして実際に、この１スキャン期間内において、ＰＬＬ回路２４がロックしたのであれば、以降は、ＶＣＯ２３による４ｆｓｃ＝１４．３２ＭＨｚの発振信号の出力を固定し、これにより、７１．６ＭＨｚのシステムクロックＣＬＫに基づくデジタルクロマ復調システム１の動作を継続させる。
これに対して、ＶＣＯ２３から４ｆｓｃ＝１４．３２ＭＨｚの発振信号を出力させている１スキャン期間内においてＰＬＬ回路２４がロックしなかったのであれば、ＤＳＰ３は、ＶＣＯ２３から出力させるべき４ｆｓｃの発振信号を、１４．３２ＭＨｚから１７．７２ＭＨｚに切り換える。そして、この状態で、上記と同様にしてＰＬＬ回路２４がロック状態となるか否かについて判定する。
このようにして、テレビジョン方式の判別にあたっては、１スキャン期間ごとにクロック周波数の切り換えを行い、入力されるコンポジット信号のカラーバースト信号にＰＬＬ回路２４がロックするか否かを判定するスキャン動作を行うようにしている。そして、ＰＬＬ回路２４がロックするまで、このようなスキャン動作を繰り返し実行するようにされる。
【００５０】
そして、上記したスキャン動作により、コンポジット信号のテレビジョン方式に適合するシステムクロックＣＬＫでデジタルクロマ復調システム１が動作するようにさせたうえで、テレビジョン方式の具体的な判別は、例えば次のようにして実行する。ここでは説明を簡単にするため、テレビジョン方式として、ＮＴＳＣ方式とＰＡＬ方式との間での判別を行う場合を例にとる。
【００５１】
ＮＴＳＣ方式のコンポジット信号が入力されてＰＬＬ回路２４がロックしているとされる状態では、例えば間引き回路１４における４ｆｓｃのクロックによるサンプリングによっては、例えばＲ−Ｙ成分のサンプルデータは、０に近い値となる。
これに対して、ＰＡＬ方式のコンポジット信号について４ｆｓｃのクロックによるサンプリングを行った場合には、ＮＴＳＣの場合に対して、位相が９０°ずれた状態でＰＬＬ回路２４がロックする。このためＰＡＬ方式の場合におけるＲ−Ｙ成分のサンプルデータは、カラーバースト信号の最大振幅値に近い値を取る。また、ＰＡＬ方式では、水平走査期間ごとにクロマ信号の位相が反転するために、Ｒ−Ｙ成分のサンプルデータとしての振幅値も、水平走査期間ごとに正／負で反転する。
【００５２】
そこで、ＤＳＰ３は、バーストＲＡＭ２１に入力される１水平走査期間（１Ｈ）ごとのカラーバースト信号のサンプルデータを参照する。そして、例えば各水平走査期間におけるＲ−Ｙ成分のサンプルデータの積算値が０であればＮＴＳＣ方式であると判別することになる。
これに対して、或る１水平走査期間におけるＲ−Ｙ成分のサンプルデータの積算値が−Ａ（Ａは実際の積算値を示す）であり、次の１水平走査期間におけるＲ−Ｙ成分のサンプルデータの積算値が＋Ａ（Ａは実際の積算値を示す）となるようにして反転するのであれば、ＰＡＬ方式であると判別することになる。
【００５３】
ただし、入力されるコンポジット信号におけるカラーバースト信号の実際の周波数ｆｓｃに誤差が生じている場合がある。このような場合、例えば、ＮＴＳＣ方式のＲ−Ｙ成分のサンプルデータとしては、正確に０にはならず、これ以外の或る値をとることになる。また、ＰＡＬ方式のＲ−Ｙ成分のサンプルデータについても、本来とは異なる値をとることになる。
しかしながら、このようなＲ−Ｙ成分のサンプルデータの誤差は、ＮＴＳＣ方式の場合、水平走査期間ごとに同じ値となる。従って、１水平走査期間ごとにおけるＲ−Ｙ成分のサンプルデータの誤差値としても、例えば０＋α（αは誤差分としての値）で一定となる。そこで、前回と今回の水平走査期間における各Ｒ−Ｙ成分のサンプルデータの積算値の差分を算出して０となるのであれば、ＮＴＳＣ方式であると判別してよいことになる。
これに対して、ＰＡＬ方式では、Ｒ−Ｙ成分のサンプルデータの誤差値は、１水平走査期間ごとに−Ａ−β、＋Ａ＋β（βは後差分としての値）となり、従って、１水平走査期間おきでは−Ａ−β又は＋Ａ＋βでほぼ一定となる。そこで、前回と今回の水平走査期間における各Ｒ−Ｙ成分のサンプルデータの積算値の差分を算出していき、その算出値が０以外で前回と今回とで正／負が反転するような状態となるのであればＰＡＬ方式であると判別できることになる。
つまり、カラーバースト信号周波数ｆｓｃに誤差が生じていても、高い精度でテレビジョン方式の判別を行うことが可能である。
【００５４】
ここで、図１に示すデジタルクロマ復調システム１では、ＰＬＬ回路２４がロックしているとされる通常時においては、Ｙ／Ｃ分離回路１５及びクロマ復調回路１６等によるＹ／Ｃ分離処理及びクロマ復調処理が適正に実行されており、正常な輝度信号、及び色差信号Ｃｂ、Ｃｒが得られている状態にある。
そこで、このようなときには、スイッチ回路１３について端子Ｔ２と端子Ｔ３を接続するようにしている。これにより、端子Ｔ３からは、入力されるコンポジット信号について適正にＹ／Ｃ分離処理を実行して得られる輝度信号が出力される。そして、クロマ復調回路１６から出力される色差信号Ｃｂ，Ｃｒとともに、適正に画像が表示されることになる。
【００５５】
これに対して、例えばテレビジョン方式の判別動作を実行するモードとなっているときには、上記説明からも分かるように、ＰＬＬ回路２４がロックしていないので、カラーバースト信号に同期したシステムクロックＣＬＫが得られていない状態にある。このため、デジタルクロマ復調システム１としては、Ｙ／Ｃ分離処理及びクロマ復調処理等を適正に実行することができない。つまり、正常な輝度信号及び色差信号を出力することができないので、これらの信号によって正常なカラー画像を表示出力できない。
そこで、テレビジョン方式の判別動作を実行しているときには、スイッチ回路１３について、端子Ｔ１と端子Ｔ３が接続されるように切り換えることとする。
これにより、デジタルクロマ復調システム１からは、Ａ／Ｄコンバータ１１→デジタルＬＰＦ１２を経由してデジタル信号化されたコンポジット信号（ＣＶＢＳ信号）が出力され、このコンポジット信号によって画像表示を継続させることができる。
【００５６】
このことから、デジタルクロマ復調システム１は、テレビジョン方式の判別動作中においては、コンポジット信号を直接的に出力している状態の下で、先に説明したようにして、システムクロックＣＬＫの周波数（即ち、ＶＣＯ２３からの４ｆｓｃの発振信号周波数である）を切り換える動作を行っていることになる。
【００５７】
上記のような動作は、従来としてのマルチ入力対応のデジタルクロマ復調システムでも実行されている。しかしながら、従来においては、システムクロックＣＬＫの周波数が４ｆｓｃとされていることで、切り換えられる４ｆｓｃの周波数差が大きいものであった。このため、システムクロックＣＬＫの周波数が切り換えられるごとに、ｆ特の変化、折り返してきた信号のモアレの様子などが視覚的に確認できる程度に変化していたものである。これは、前述もしているように、システムクロックＣＬＫの周波数差に応じて、コンポジット信号をＡ／Ｄ変換するときのサンプリング周波数、サンプリングポイントなどがおおきくずれてくることによる。
そして、このような問題は、コンポジット形式の信号にカラーバースト信号が挿入されていない、白黒の映像信号が入力される場合に特に顕著であった。つまり、テレビジョン方式の判別動作の構成上、白黒の映像信号が入力された場合には、カラーバースト信号が無いことで、テレビジョン方式の判別動作としての周波数切り換え動作が継続して実行されることになる。このような場合において、従来では、上記したような画像の変化が、例えば数回の垂直走査期間に相当する時間ごとに頻繁に生じることとなり、見苦しい画像が表示され続けていたものである。
【００５８】
これに対して、本実施の形態のデジタルクロマ復調システム１では、先にも説明したようにして、システムクロックＣＬＫとしては、具体的には、カラーバースト信号周波数ｆｓｃ＝３．５８ＭＨｚに対応しては７１．６ＭＨｚ（＝２０ｆｓｃ）とし、カラーバースト信号周波数ｆｓｃ＝４．４３ＭＨｚに対応しては７０．８８ＭＨｚ（＝１６ｆｓｃ）としており、結果的に、互いのシステムクロックＣＬＫとしての周波数差を一定範囲内に納めることとしている。
【００５９】
このため、テレビジョン方式の判別動作に伴うシステムクロックＣＬＫの切り換えが行われる場合において、Ａ／Ｄコンバータ１１におけるサンプリング周波数及びサンプリングポイントなどのずれは、従来と比較して僅かなものとすることができる。
この結果、本実施の形態としては、テレビジョン方式の判別動作中において、デジタルクロマ復調システム１から出力されるコンポジット信号により、実際に表示出力される画像としては、システムクロックＣＬＫの周波数の切り換えによる乱れは視覚的にほとんど確認できない程度にまで抑えられた。
また、本実施の形態のデジタルクロマ復調システム１のテレビジョン方式の判別動作としても、白黒の映像信号が入力された場合には、システムクロックＣＬＫの切り換え動作が継続的に実行される。しかしながら、本実施の形態では、このような場合でも、システムクロックＣＬＫの周波数の切り換えに応じた表示画像の乱れはほとんど現れないので、非常に見やすい画像となっているものである。
【００６０】
また、テレビジョン方式ごとに応じたシステムクロックＣＬＫの周波数差が僅かなものとされていることで、本実施の形態のデジタルクロマ復調システム１としては、次のような利点も得られる。
図１にて説明したように、デジタルクロマ復調システム１では、Ａ／Ｄ変換後のコンポジット信号について、輝度信号の帯域に適合させるためのデジタルＬＰＦ１２が備えられる。
ここで、デジタルフィルタのカットオフ周波数は、その構成上、クロックの周波数に比例して変化することになる。従って、例えば従来のようにして、システムクロックＣＬＫの周波数を４ｆｓｃとしていることで、テレビジョン方式ごとのシステムクロックＣＬＫの周波数差が大きいような場合には、このデジタルＬＰＦのカットオフ周波数がテレビジョン方式ごとに大きく変化してしまうことになる。このため、実際としては、切り換えが行われるシステムクロックＣＬＫの周波数ごとに対応させて、それぞれ専用のデジタルＬＰＦを設け、システムクロックＣＬＫの周波数が切り換わるごとに使用するデジタルＬＰＦも切り換える構成を採る必要がある。この場合、それだけ回路規模が大きくなり、例えばその分のコストアップなどを招くことになる。
これに対して、本実施の形態では、テレビジョン方式ごとに応じたシステムクロックＣＬＫの周波数は、７１ＭＨｚ付近で非常に近い。このために、システムクロックＣＬＫの周波数が切り換えられたとしても、デジタルＬＰＦ１２におけるカットオフ周波数の変化は、実用上問題ない程度に小さなものとなる。従って、本実施の形態では、内部のデジタルフィルタなどについても、異なるテレビジョン方式のコンポジット信号に対して共通化し、１つとすることが可能とされているものである。
【００６１】
３．コンポーネント信号のマルチ入力に対応する構成
ところで、コンポジット信号以外の映像信号として、例えばコンポーネント信号も知られている。そこで、デジタルクロマ復調システムとしては、コンポジット信号だけではなく、コンポーネント信号を処理する機能を付加した構成を考えることができる。
【００６２】
そこで先ず、先に従来例として図７に示したデジタルクロマ復調システム１００に対して、コンポーネント信号を処理する機能を付加した場合の構成例を、図４に示す。なお、この図４に示すデジタルクロマ復調システム１００としては、図７に示したコンポジット信号を対象としたクロマ復調のための回路構成については図示を省略しており、コンポーネント信号の処理に関する部位のみを抜き出して示しているものとされる。
【００６３】
例えば実際として、この図４に示すシステムが扱うコンポーネント信号は、４８０ｉ〜７２０ｐまでとなる。この場合において、例えば輝度信号（Ｙ信号）を例に挙げると、ドットクロック周波数（サンプリング周波数）の種類としては、１３．５ＭＨｚ、２７ＭＨｚ、７４．２５ＭＨｚの３種類となる。このため、これら３種類のドットクロック周波数に対応してＡ／Ｄ変換のためのサンプリングを行うためには、Ａ／Ｄコンバータの前段において３種類のドットクロック周波数の各々に対応して、信号帯域をナイキスト周波数の範囲内とするためのアナログＬＰＦが必要となる。しかしながら、実際としては、４８０ｐの２７ＭＨｚサンプリングに代えて、７２ＭＨｚでサンプリングするように構成することで、４８０ｐに対応しては、ドットクロック周波数７４．２５ＭＨｚ対応のアナログＬＰＦを流用することができる。これにより、Ａ／Ｄコンバータの前段に備えるアナログＬＰＦとしては、１３．５ＭＨｚ、７４．２５ＭＨｚのドットクロック周波数に対応した２つを備えればよいことになる。
【００６４】
このため、図４に示すシステムとしては、Ａ／Ｄコンバータの前段において、入力されるコンポーネント信号としての輝度信号（Ｙ信号）、色差信号Ｃｂ、色差信号Ｃｒごとに、２つのアナログＬＰＦを備える構成を採ることになる。
先ず、アナログの輝度信号は、Ｙ／ＳＤ用アナログＬＰＦ２０１、及びＹ／ＨＤ用アナログＬＰＦ２０２に対して分岐して入力される。
Ｙ／ＳＤ用アナログＬＰＦ２０１は、１３．５ＭＨｚのドットクロックを有する、ＳＤ(Standard Difintion)としての輝度信号に対応するアナログＬＰＦであり、カットオフ周波数は約７ＭＨｚである。
Ｙ／ＨＤ用アナログＬＰＦ２０２は、７４．２５ＭＨｚのドットクロックを有する、ＨＤ(High Difintion)としての輝度信号に対応するアナログＬＰＦであり、カットオフ周波数は約３３ＭＨｚである。
【００６５】
Ｙ／ＳＤ用アナログＬＰＦ２０１を通過した輝度信号はスイッチ回路２０４の端子Ｔ１に対して出力される。
Ｙ／ＨＤ用アナログＬＰＦ２０２を通過した輝度信号は、アンプ２０３により所定の増幅率により増幅された後に、スイッチ回路２０４の端子Ｔ２に対して出力される。Ｙ／ＨＤ用アナログＬＰＦ２０２を通過した輝度信号は、Ｙ／ＳＤ用アナログＬＰＦ２０１を通過した輝度信号よりもゲインの損失が大きい。そこで、Ｙ／ＨＤ用アナログＬＰＦ２０２を通過した輝度信号とのゲイン差を補償するために、上記アンプ２０３を設けることとしている。
【００６６】
スイッチ回路２０４は、端子Ｔ３に対して端子Ｔ１，Ｔ２の何れかが択一的に選択されるようにして切り換えられる。端子Ｔ３は、デジタルクロマ復調システム１００内のＡ／Ｄコンバータの１０１Ａの入力に対して接続される。
入力されるコンポーネント信号がＳＤに相当する信号である場合には、スイッチ回路２０４について端子Ｔ１と端子Ｔ３を接続させることで、Ｙ／ＳＤ用アナログＬＰＦ２０１を通過した輝度信号をＡ／Ｄコンバータ１０１Ａに入力させる。また、入力されるコンポーネント信号がＨＤに相当する信号である場合には、スイッチ回路２０４の端子Ｔ２と端子Ｔ３とを接続させることで、Ｙ／ＳＤ用アナログＬＰＦ２０１を通過した輝度信号をＡ／Ｄコンバータ１０１Ａに入力させる。
【００６７】
Ａ／Ｄコンバータ１０１Ａは、入力されたアナログの輝度信号をデジタル信号に変換するためのサンプリング処理を実行する。このＡ／Ｄコンバータ１０１Ａは、システムクロックＣＬＫに従ったサンプリング周波数でサンプリングを行う。この場合のシステムクロックＣＬＫは、入力されるコンポーネント信号の形式に応じて、上記したドットクロック周波数に相当する、１３．５ＭＨｚ、２７ＭＨｚ、７４．２５ＭＨｚの何れかの間で切り換えが行われる。従って、Ａ／Ｄコンバータ１０１Ａのサンプリング周波数としても１３．５ＭＨｚ、２７ＭＨｚ、７４．２５ＭＨｚの間で切り換えられることになる。
【００６８】
また、アナログの色差信号Ｃｂは、Ｃ／ＳＤ用アナログＬＰＦ２１１、及びＣ／ＨＤ用アナログＬＰＦ２１２に対して分岐して入力される。
この場合にも、Ｃ／ＳＤ用アナログＬＰＦ２１１は、ＳＤ(Standard Difintion)としての色差信号に対応して、約３ＭＨｚのカットオフ周波数が設定されたアナログＬＰＦである。また、Ｃ／ＨＤ用アナログＬＰＦ２１２は、ＨＤ(High Difintion)としての色差信号に対応して約１７ＭＨｚのカットオフ周波数が設定される。
【００６９】
この場合にも、Ｃ／ＳＤ用アナログＬＰＦ２１１を通過した色差信号Ｃｂは、スイッチ回路２１４の端子Ｔ１に対して出力され、Ｃ／ＨＤ用アナログＬＰＦ２１２を通過した輝度信号は、アンプ２１３により所定の増幅率により増幅されてゲイン補償された後に、スイッチ回路２１４の端子Ｔ２に対して出力される。
また、この場合においても、入力されるコンポーネント信号がＳＤに相当する信号である場合には、スイッチ回路２１４について端子Ｔ１と端子Ｔ３を接続させ、Ｃ／ＳＤ用アナログＬＰＦ２１１を通過した色差信号ＣｂをＡ／Ｄコンバータ１０１Ｂに入力させる。また、入力されるコンポーネント信号がＨＤに相当する信号である場合には、スイッチ回路２１４の端子Ｔ２と端子Ｔ３とを接続させることで、Ｃ／ＳＤ用アナログＬＰＦ２１１を通過した輝度信号をＡ／Ｄコンバータ１０１Ｂに入力させる。
色差信号Ｃｂの入力に対応するＡ／Ｄコンバータ１０１Ｂも、入力されるコンポーネント信号の形式に応じて１３．５ＭＨｚ、２７ＭＨｚ、７４．２５ＭＨｚの何れかとされるシステムクロックＣＬＫに従ったサンプリングタイミングでサンプリングを行い、色差信号Ｃｂをデジタル信号化する。
【００７０】
また、色差信号Ｃｒの入力に対応しては、アナログ段において、Ｃ／ＳＤ用アナログＬＰＦ２２１、Ｃ／ＨＤ用アナログＬＰＦ２２２、アンプ２２３、スイッチ回路２２４から成る回路部が備えられる。また、色差信号Ｃｒに対応して、デジタルクロマ復調システム１００にはＡ／Ｄコンバータ１０１Ｃが備えられる。  これらアナログ段の回路部及びＡ／Ｄコンバータ１０１Ｃの動作は、上記した色差信号Ｃｂの場合と同様となる。
【００７１】
このような構成から分かるように、従来としてのデジタルクロマ復調システム１００に対してコンポーネント信号の処理機能を与えようとした場合においては、デジタルクロマ復調システム１００の前段であるアナログ信号処理回路系が相当に煩雑になることが分かる。つまり、コンポーネント信号を形成する各信号ごとに、２系統のＬＰＦと、これらのＬＰＦの出力を選択するスイッチ回路が必要であり、さらに、一方のＬＰＦの出力にはゲイン補償のためのアンプを挿入する必要がある。そして、これだけの回路を組んだ上で、ＨＤとしての信号についての周波数特性を維持する必要があるので、実際の回路設計としても難しいものとなる。
また、図４では、一方のアナログＬＰＦについて、ドットクロック周波数２７ＭＨｚ、７４．２５ＭＨｚとで共用しているために、アナログＬＰＦの数は２つとなっている。しかしながら、４８０ｐのコンポーネント信号について、２７ＭＨｚでサンプリングしなければならない要求が出てきた場合には、アナログＬＰＦは３つとなるので、さらに回路が複雑になる。
【００７２】
これに対して、図１に示した本実施の形態としてのデジタルクロマ復調システム１に対して、コンポーネント信号の処理機能を付加した場合には、次のような構成を採ることができる。
ここで、ＨＤとしてのコンポーネント信号を入力してＡ／Ｄ変換としてのサンプリングを行う場合、そのときのシステムクロックＣＬＫ（サンプリング周波数）としては前述もしたように７４．２５ＭＨｚとなる。
そこで、本実施の形態のデジタルクロマ復調システム１としては、ＨＤとしてのコンポーネント信号を入力する場合には、７４．２５ＭＨｚのシステムクロックＣＬＫが生成されるようにしてＰＬＬ回路２４を動作させる。そして、それ以外の、ＳＤとしてのコンポーネント信号又はコンポジット信号を入力する場合には、先に説明したように、約７１ＭＨｚとして扱われる、７１．６ＭＨｚ又は７０．８８ＭＨｚの何れかのうち適切な周波数のシステムクロックＣＬＫを生成させるように構成することとしている。
つまり、コンポーネント信号の入力に関しては、システムクロックＣＬＫとしては、約７１ＭＨｚ（７１．６ＭＨｚ又は７０．８８ＭＨｚ）と、７４．２５ＭＨｚの間で切り換えが行われ、入力される映像信号は、これらのシステムクロックＣＬＫのいずれかに従ったサンプリング周波数によってＡ／Ｄ変換が行われることとなる。
【００７３】
そこで、信号帯域をナイキスト周波数の範囲内とするためのアナログＬＰＦのカットオフ周波数について、約７１ＭＨｚ、７４．２５ＭＨｚのサンプリング周波数のそれぞれに対応させることを考えると、例えば、３５ＭＨｚ程度でほぼ同等であると考えて良いことになる。
これは、例えばコンポーネント信号に関すれば、輝度信号、色差信号Ｃｒ、Ｃｂごとに、入力される信号がＨＤ、ＳＤであるのにかかわらず、３５ＭＨｚ程度を上限として、ＨＤの信号に対応してのカットオフ周波数が設定されたＬＰＦを通過させれば、後段のＡ／Ｄ変換処理は適正に実行されることを意味する。つまり、デジタルクロマ復調システム１の前段となるコンポーネント信号の入力段においては、輝度信号、色差信号Ｃｒ、Ｃｂごとに対応させて、１つのアナログＬＰＦを設ければよい。
そして、アナログＬＰＦが１つとされることによっては、ゲインバランスを補償するためのアンプも不要とすることが可能になる。
【００７４】
このような考え方に基づいて、コンポーネント信号入力に対応する本実施の形態のデジタルクロマ復調システム１としては、その前段におけるアナログＬＰＦの構成を含めて、図５に示す構成を採ることができる。なお、この図５においても、図１に示したコンポジット信号対照のクロマ復調のための回路構成については図示を省略しており、コンポーネント信号の処理に関する部位のみを抜き出して示すこととする。
【００７５】
この図に示すようにして、デジタルクロマ復調システム１の前段においては、Ｙ／ＨＤ用アナログフィルタ２Ａ、Ｃ／ＨＤ用アナログＬＰＦ２Ｂ、Ｃ／ＨＤ用アナログＬＰＦ２Ｃが備えられる。
つまり、コンポーネント信号の形式がＳＤ、ＨＤであるのにかかわらず、ナイキスト周波数内に帯域制限するアナログＬＰＦは、各信号ごとに１つのみが設けられる構成となっている。なお、これらのアナログＬＰＦには、それぞれ、ＨＤに対応するカットオフ周波数が設定される。
このようにして本実施の形態としては、図４に示した従来としての回路の場合と比較して、デジタルクロマ復調システム１の前段の回路構成が単純なものとなる。これにより、デジタルクロマ復調システム１に入力させる信号の品質を所要レベルにまで維持することも、これまでよりはるかに容易となる。
【００７６】
この場合において、Ｙ／ＨＤ用アナログＬＰＦ２Ａ、Ｃ／ＨＤ用アナログＬＰＦ２Ｂ、Ｃ／ＨＤ用アナログＬＰＦ２Ｃのうち、輝度信号が入力されるＹ／ＨＤ用アナログフィルタ２Ａについては、例えば図４のＹ／ＨＤ用アナログＬＰＦ２０２と同じ特性のものを用いればよい。つまり、カットオフ周波数としては、約３３ＭＨｚを設定することで、ＨＤのデジタル輝度信号として要求される帯域を確保したうえで、ナイキスト周波数の範囲内に帯域制限するものである。
さらに、この場合のＹ／ＨＤ用アナログフィルタ２Ａのカットオフ周波数は、図１に示したアナログＬＰＦ２とほぼ同等であると見ることができる。従って、Ｙ／ＨＤ用アナログフィルタ２Ａについては、アナログＬＰＦ２と同等の回路により構成できる。また、Ｙ／ＨＤ用アナログフィルタ２ＡとアナログＬＰＦ２を共用するように構成することも考えられる。
【００７７】
また、Ｃ／ＨＤ用アナログＬＰＦ２Ｂ、Ｃ／ＨＤ用アナログＬＰＦ２Ｃについては、図４のＣ／ＨＤ用アナログＬＰＦ２１２，２２２と同じ特性のものを用いればよいことになる。従って、Ｃ／ＨＤ用アナログＬＰＦ２Ｂ、Ｃ／ＨＤ用アナログＬＰＦ２Ｃとしては、ＨＤのデジタル色差信号Ｃｂ，Ｃｒの帯域に応じて約７ＭＨｚが設定されることになる。
【００７８】
Ｙ／ＨＤ用アナログＬＰＦ２Ａを通過したアナログの輝度信号は、デジタルクロマ復調システム１内のＡ／Ｄコンバータ１１Ａに対して入力される。
ＡＤコンバータ１１Ａは、システムクロックＣＬＫに応じたサンプリング周波数によりサンプリングを行って、入力された輝度信号をデジタル信号化する。
前述したように、システムクロックＣＬＫの周波数は、コンポーネント信号がＨＤである場合には７４．２５ＭＨｚであり、ＳＤである場合には約７１ＭＨｚ（７１．６ＭＨｚ又は７０．８８ＭＨｚ）となるから、ＨＤの輝度信号は、７４．２５ＭＨｚのサンプリング周波数によりＡ／Ｄ変換され、ＳＤの輝度信号は約７１ＭＨｚ（７１．６ＭＨｚ又は７０．８８ＭＨｚ）のサンプリング周波数によりＡ／Ｄ変換される。
【００７９】
Ａ／Ｄコンバータ１１Ａによりデジタル化された輝度信号は、スイッチ回路１３Ａの端子Ｔ１に対して直接出力される経路と、Ｙ／ＳＤ用デジタルＬＰＦ３５Ａ→間引き回路３６Ａを経由してスイッチ回路１３Ａの端子Ｔ２に対して出力される経路とに分岐して供給される。
スイッチ回路１３Ａは、端子Ｔ３が端子Ｔ１又は端子Ｔ２に対して択一的に接続されるようにして切り換えが行われるようになっており、上記した２つの経路の選択は、スイッチ回路１３Ａにおける端子切り換えによって行われる。
入力がＨＤのコンポーネント信号であるときには、スイッチ回路１３Ａでは端子Ｔ１に対して端子Ｔ３が接続される。これにより、Ａ／Ｄコンバータ１１Ａによりデジタル信号化されたＨＤの輝度信号は、そのまま後段の回路に出力されることになる。
つまり、Ｙ／ＨＤ用アナログＬＰＦ２Ａ→Ａ／Ｄコンバータ１１Ａによる信号処理は、本来は、ＨＤの輝度信号としての帯域特性等に応じた動作であるから、入力がＨＤの輝度信号である場合には、Ａ／Ｄコンバータ１１Ａのサンプリング出力を、そのままデジタル輝度信号として出力すべきことになる。
【００８０】
これに対して、入力がＳＤのコンポーネント信号であるときには、スイッチ回路１３Ａでは端子Ｔ３に対して端子Ｔ２が接続されることで、輝度信号は、Ｙ／ＳＤ用デジタルＬＰＦ３５Ａ→間引き回路３６Ａからスイッチ回路１３Ａを介して出力されることになる。
上記もしているように、Ｙ／ＨＤ用アナログＬＰＦ２Ａ→Ａ／Ｄコンバータ１１Ａによる信号処理は、本来は、ＨＤの輝度信号としての帯域特性等に適合させているが、本実施の形態では、このデジタル信号化のための系を、ＨＤとＳＤの信号に対して共用している。従って、入力がＳＤの信号である場合には、Ａ／Ｄコンバータ１１Ａによりデジタル信号化された輝度信号について、本来のＳＤに適合したサンプリング周波数（ドットクロック）及び信号帯域に応じた信号とする必要がある。Ｙ／ＳＤ用デジタルＬＰＦ３５Ａ→間引き回路３６Ａによる系は、このために設けられる。
【００８１】
Ｙ／ＳＤ用デジタルＬＰＦ３５Ａは、ＳＤの輝度信号に適合した帯域特性となるようにカットオフ周波数が設定されている。そして、Ｙ／ＳＤ用デジタルＬＰＦ３５Ａを通過した輝度信号は、間引き回路３６Ａにより、本来のＳＤのサンプリング周波数によりサンプリングを行ったのと同等のサンプルデータが得られるように、間引き処理を実行する。これにより、間引き回路３６Ａからスイッチ回路１３Ａを介して出力される輝度信号としては、ＳＤとして適正なデジタルの輝度信号の形式を有していることになる。
ここで、実際において、ＳＤの信号としては、サンプリング周波数が１３．５ＭＨｚの場合と、２７ＭＨｚの場合とがあり、これらのサンプリング周波数に応じてＹ／ＳＤ用デジタルＬＰＦ３５Ａのカットオフ周波数は切り換えられるべきことになる。このための実際としては、例えばＹ／ＳＤ用デジタルＬＰＦ３５Ａに係数ＲＯＭを備えておき、１３．５ＭＨｚ、２７ＭＨｚのサンプリング周波数に応じて、ＬＰＦのカットオフ周波数を決定する係数ＲＯＭを切り換えるように構成すればよい。つまり、Ｙ／ＳＤ用デジタルＬＰＦ３５Ａのカットオフ周波数は容易に切り換えることができる。
【００８２】
また、Ｃ／ＨＤ用アナログＬＰＦ２Ｂを通過した色差信号Ｃｂに対応するデジタルクロマ復調システム１内の回路としては、Ａ／Ｄコンバータ１１Ｂ、Ｃ／ＳＤ用デジタルＬＰＦ３５Ｂ、間引き回路３６Ｂ、及びスイッチ回路１３Ｂを、上記した輝度信号に対応する回路と同様に構成して形成している。
また、Ｃ／ＨＤ用アナログＬＰＦ２Ｃを通過した色差信号Ｃｒに対応するデジタルクロマ復調システム１内の回路としても、Ａ／Ｄコンバータ１１Ｃ、Ｃ／ＳＤ用デジタルＬＰＦ３５Ｃ、間引き回路３６Ｃ、及びスイッチ回路１３Ｃを、色差信号Ｃｂに対応する回路と同様に構成して形成している。
なお、上記のようにして構成される色差信号Ｃｂ、Ｃｒに対応して形成される各回路の動作は、例えばＣ／ＳＤ用デジタルＬＰＦ３５Ｂ，３５Ｃにおけるカットオフ周波数がＹＳＤ用デジタルＬＰＦ３５Ａと異なる以外は、上記した輝度信号に対応する回路とほぼ同様となることからここでの説明は省略する。
【００８３】
このような構成により、色差信号Ｃｂ、Ｃｒについても、コンポーネント信号がＨＤであるときには、スイッチ回路１３Ｂ，１３Ｃを介して、Ａ／Ｄ変換によりデジタル信号化されたＨＤの色差信号Ｃｂ、Ｃｒが直接出力され、ＳＤであるときには、［Ｙ／ＳＤ用デジタルＬＰＦ３５Ｂ→間引き回路３６Ｂ］［Ｙ／ＳＤ用デジタルＬＰＦ３５Ｃ→間引き回路３６Ｃ］を介して、ＳＤに適合してサンプリングされた形式のデジタルの色差信号Ｃｂ、Ｃｒが出力されることになる。
また、色差信号Ｃｂ、Ｃｒ側の回路としても、Ｙ／ＳＤ用デジタルＬＰＦ３５Ｂ，３５Ｃについては、例えば係数ＲＯＭの切り換えによって、容易に１３．５ＭＨｚ、２７ＭＨｚのサンプリング周波数に応じカットオフ周波数の切り換えが可能である。
【００８４】
なお、本発明としては上記した各実施の形態としての構成に限定されるものではなく、例えば、各図に示したデジタルクロマ復調システム１及びその前段の構成などの細部は適宜変更されて構わないものである。
【図面の簡単な説明】
【００８５】
【図１】本発明の実施の形態としてのデジタルクロマ復調システムの構成例を示すブロック図である。
【図２】実施の形態のデジタルクロマ復調システムにおいて実行される、コンポジット信号の１／５間引き処理を示すタイミングチャートである。
【図３】実施の形態のデジタルクロマ復調システムにおいて実行される、コンポジット信号の１／４間引き処理を示すタイミングチャートである。
【図４】システムクロックが４ｆｓｃとされるデジタルクロマ復調システムの構成を基に、コンポーネント信号の入力に対応した場合の構成例を示すブロック図である。
【図５】実施の形態のデジタルクロマ復調システムの構成を基に、コンポーネント信号の入力に対応した場合の構成例を示すブロック図である。
【図６】実施の形態のデジタルクロマ復調システムが対応するとされるテレビジョン方式ごとの、カラーバースト信号周波数ｆｓｃ、４ｆｓｃ、システムクロック周波数を示す説明図である。
【図７】従来例としてのデジタルクロマ復調システムの構成例を示すブロック図である。
【符号の説明】
【００８６】
１  デジタルクロマ復調システム、２  アナログＬＰＦ、２Ａ  Ｙ／ＨＤ用アナログＬＰＦ、２Ｂ  Ｃ／ＨＤ用アナログＬＰＦ、２Ｃ  Ｃ／ＨＤ用アナログＬＰＦ、３  ＤＳＰ、１１，１１Ａ，１１Ｂ，１１Ｃ  Ａ／Ｄコンバータ、１２  デジタルＬＰＦ、１３，１３Ａ，１３Ｂ，１３Ｃ  スイッチ回路、１４  間引き回路、１５  Ｙ／Ｃ分離回路、１６  クロマ復調回路、２１  バーストＲＡＭ、２２  ＬＰＦ、２３  ＶＣＯ、２４  ＰＬＬ回路、３０  クロマ復調ブロック、３１  ＰＬＬブロック、３５Ａ，３５Ｂ，３５Ｃ  Ｃ／ＳＤ用デジタルＬＰＦ、３６Ａ，３６Ｂ，３６Ｃ  間引き回路
【図１】
2004289801.tif 000003
【図２】
2004289801.tif 000004
【図３】
2004289801.tif 000005
【図４】
2004289801.tif 000006
【図５】
2004289801.tif 000007
【図６】
2004289801.tif 000008
【図７】
2004289801.tif 000009